(57)【要約】  本発明に一見地に寄れば、整形外科の人工関節に用いられるのに適している脛骨部品が提供される。その人工関節は、大腿骨コンポーネント及びスペーサベアリングを有している。脛骨部品は、上側ベアリング面及び下側取り付け面を有する平坦な脛骨プレートを備えている。脛骨プレートは、さらに、スペーサベアリングを脛骨プレートに対して取り外し可能に固定するための少なくとも１つのスペーサベアリング取り付け手段を有している。
2014530680.tif 000002
【特許請求の範囲】
【請求項１】
大腿骨コンポーネント及びスペーサベアリングを含む整形外科の人工関節に使用されるのに適している脛骨部品であって、
上側ベアリング面及び下側取り付け面を有する平坦な脛骨プレートを備え、
前記脛骨プレートはさらに、前記スペーサベアリングを前記脛骨プレートに取り外し可能に固定するための前記少なくとも１つのスペーサベアリング取り付け手段を有している、
脛骨部品。
【請求項２】
前記スペーサベアリングは取り外し可能に前記脛骨部品に固定されており、それにより前記スペーサベアリングが前記脛骨部品に対して動かないようになっている、請求項１に記載の脛骨部品。
【請求項３】
前記スペーサベアリングの前記動作は、回転動作、平行の動作、又は両方の回転動作及び平行動作の組み合わせである、請求項２に記載の脛骨部品。
【請求項４】
前記スペーサベアリングは、大腿骨コンポーネントを受けるための凹面を有している、請求項１〜３のいずれかに記載の脛骨部品。
【請求項５】
前記スペーサベアリングの前記凹面は、実質的に６度の曲率を形成している、請求項４に記載の脛骨部品。
【請求項６】
前記スペーサベアリングは、前記大腿骨コンポーネントを受けるための平坦面を有している、請求項１、２、又は３に記載の脛骨部品。
【請求項７】
前記大腿骨コンポーネントは、可動スペーサベアリング人工部品に使用されるために、前記スペーサベアリングの前記凹面に支持されるように置かれる、請求項４又は５に記載の脛骨部品。
【請求項８】
前記大腿骨コンポーネントは、固定スペーサベアリング人工部品に使用されるために、前記スペーサベアリングの前記平坦面に支持されるように置かれる、請求項６に記載の脛骨部品。
【請求項９】
可動又は固定ベアリング人工部品のいずれかのためにスペーサベアリングを互換的に受けることができる、請求項４又は請求項６に記載の脛骨部品。
【請求項１０】
前記脛骨プレートは、前記膝の前記中心線に最も近い前記脛骨プレートの一面の上に位置する直交フランジを含んでおり、
前記直交フランジは、その上に配置された環状又は斜めに配置された開口部を有している、請求項１〜９のいずれかに記載の脛骨部品。
【請求項１１】
前記取り付け手段は、第１の取り付けであり、前記スペーサベアリングを前記直交フランジに配置しさらに取り外し可能に固定しそして最後には前記脛骨プレートに固定するための任意のねじ及びねじ穴の形である、請求項１に記載の脛骨部品。
【請求項１２】
前記第１の取り付けは、任意にかつ代替として、細長いシリンダーと、そこにある円弧状端とを有する片持ちのピンであり、
前記片持ちのピンは、前記スペーサベアリングを前記直交フランジに対して取り外し可能に固定しさらには前記脛骨プレートに固定するための片持ちのスナップ嵌め配置である、請求項１１に記載の脛骨部品。
【請求項１３】
前記第１の取り付けは、第２の取り付け手段によって補完される、請求項１１又は１２に記載の脛骨部品。
【請求項１４】
前記第２の取り付け手段は、配置部材、リム凹部、把持部材及びホルダーによって集合的に定義される、請求項１３に記載の脛骨部品
【請求項１５】
前記配置部材及び把持部材は各々前記スペーサベアリングの上に配置されている、請求項１４に記載の脛骨部品。
【請求項１６】
前記配置部材は、前記スペーサベアリングの後方に配置され、前記脛骨プレートに配置されたリム凹部に対してスナップ嵌めするためのものである、請求項１４に記載の脛骨部品。
【請求項１７】
前記把持部材は、前記スペーサベアリングの前方に配置され、前記スペーサベアリングに配置された相補的形状のホルダーに摩擦接触するためのものである、請求項１４に記載の脛骨部品。
【請求項１８】
大腿骨コンポーネント、スペーサベアリング及び前記脛骨部を有する直交人工関節部品に使用され、
前記脛骨部品は、上側ベアリング面及び下側取り付け面を有する平坦な脛骨プレートを備え、
前記脛骨プレートは、さらに、前記スペーサベアリングを前記脛骨プレートに取り外し可能に固定するための少なくとも１つのスペーサベアリング取り付け手段を有している、請求項１〜１７のいずれかに記載の脛骨部品。
【請求項１９】
前記スペーサベアリングは、その上に凹面を有しており、又は、代替例として、その上に平坦面を有しており、さらに前記スペーサベアリングの両側に配置された平坦面及び凹面の組み合わせを有している、請求項１８に記載の脛骨部品。
【請求項２０】
前記大腿骨コンポーネントは、前方部材及び後方部材、及び内側大腿骨取り付け面を有する楕円形物体を有しており、
前記大腿骨関節ベアリング面及び前記内側大腿骨取り付け面は、前記前方部材の長さに沿ったどの点についても、実質的に均一な断面曲率を有しており、したがって前記内側大腿骨取り付け面の半径が増大しており、さらに、骨組織の固定の断面の線が増大しており、
前記内側大腿骨取り付け面は、その実質的に外側の周辺エッジを超えて延びる取り付けの線を形成している、請求項１８に記載の脛骨部品。
【請求項２１】
被験者、特に人間の膝に使用される、請求項１〜２０のいずれかに記載の脛骨部品。
【請求項２２】
膝関節における軟骨欠落面に新たな表面を形成する修正方法であって、
前記方法は侵襲が最低限であり、
請求項１〜２１に実質的に記載された大腿骨コンポーネント及びそこに実質的に記載されている脛骨部品を含む整形外科の人工関節を利用しかつ挿入するステップを含んでいる、
修正方法。
【発明の詳細な説明】
【技術分野】
【０００１】
本発明は、整形外科の人工関節に使用されることに適しており、より具体的には、膝関節の軟骨面再形成用の人工関節に使用されることに適している脛骨部品に関連する。
【背景技術】
【０００２】
様々なタイプの膝人工関節が、傷ついた又は怪我をした膝を治療する整形外科手術の分野において知られ、かつ、用いられている。特に、本出願人は、ＰＣＴ／ＩＢ２００９／０５３２２４に対応しており、２０１１年１月２７日出願でかつ２００８年７月２４日に優先権を主張している南アフリカ特許２０１１／００６９７でより詳細に説明された「整形外科の人工関節」の発明者である。また、本出願人は、さらに、特許２０１２／０６２０６となった、Ａ評価システムが与えられた２０１１年５月１９日の南アフリカ仮特許出願２０１１／０３６７３「関節に対する負傷を評価するシステム及び方法」の発明者でもある。これら各々の記述は、それらの全体を参照により、取り入れられる。
【０００３】
膝関節軟骨面再形成治療における利用可能な治療法の選択肢は、人工膝関節片側置換術（ＵＫＡ）及び人工膝関節全置換術（ＴＫＡ）である。ＵＫＡ及びＴＫＡの両方において、通常の人工膝関節は、金属製の大腿骨コンポーネント、金属製の脛骨部品及びそれらの間に配置された超高分子量ポリエチレン（ＵＨＭＷＰＥ）スペーサベアリング（又はベアリング挿入）を有する。大腿骨コンポーネントは、名前の示すとおり、大腿遠位に固定されるものであり、脛骨部品は脛骨近位端に固定されるものである。
【０００４】
歴史的に、固定されたスペーサベアリングの使用（そこでは、スペーサベアリングは脛骨部品に固定される）は、好ましい連結方法であった。しかし、技術の発展に伴って、可動スペーサベアリングが好まれるようになっていった。その場合、スペーサベアリングは、ある程度、つまり脛骨部品に対してスライド可能に又は部分的に回転するように、動くことができる。可動又は固定のスペーサベアリングを選択することは、特定の対象者の膝の状態によるものであること、とりわけ膝靱帯の緩みの程度によるものであることは明らかである。この選択は、手術中に判断される。突き詰めて言えば、ＵＫＡ又はＴＫＡのいずれが適切であるか、さらには、可動ベアリング又は固定ベアリングのいずれを使用するかについての最終決定は、手術中に行われる。例えば、主要な指標又は場合によっては禁忌指標は、十字靱帯を目視することに頼っている。
【０００５】
さらには、ＵＫＡは、軟骨欠陥を有する病気の又は損傷した膝における好ましい治療形態である。より厳しい診断では、ＴＫＡが示される。どちらかの治療法の選択肢（すなわち、ＵＫＡ又はＴＫＡ）においては、骨切除を必要とする人口補綴物挿入のための準備段階がある。患者の体格及び他の解剖学的考慮によって、大腿骨コンポーネント及び脛骨部品の特定のサイズが選択される。適したサイズのスペーサベアリングは、いったん大腿骨及び脛骨部品が挿入されれば、適切に決定される。この決定は、最終的には外科的処置の間に行われ、その前ではない。さらに、特定の患者の膝の内部的条件を目視することにしたがって、可動又は固定のいずれかのスペーサベアリングが提示される。明確なデメリットは、医者が可動スペーサベアリングを使用することを予期していたが、膝の手続き中検査によって固定スペーサベアリングを使用することを要求されること、を促進することである。異なるサイズの可動及び固定スペーサベアリングを単一の無菌パック内に全ての範囲にわたって含めることは実際的ではなく、又実現もできないので、実際には、両方の選択肢は医師にとって容易に利用可能ではなく、手術が延期されやすい。このようなパックは単にほとんどの患者にとってあまりのコスト高になるだけであり、無駄な出費を意味している。さらに、固定スペーサベアリングは工場で製造され、ベアリングは通常は脛骨部品から取り外しできない。本出願人は、クリップ式のスペーサベアリングを有する固定ベアリングを知っているが、それの使用は、上述したように制限されている。
【０００６】
従来の人工関節のさらなるデメリットは、大腿骨コンポーネント及び脛骨部品の間にあるスペーサベアリングに回転及び屈曲力が作用することに起因して、これらのスペーサベアリングが損傷つまり靱帯断裂又は通常の使用によっても摩耗しやすかったり、位置がずれしたりする。さらに、スペーサベアリングに作用する他の負荷状態に応じて、例えば不適切なサイズのスペーサベアリングが用いられた場合、スペーサベアリングは早く摩耗したり又は異常な損傷が生じたりする。このような場合、補正手術が提示され、大腿骨コンポーネント及び脛骨部品の一方又は両方を除去することが提示されるかもしれない。もしも大腿骨コンポーネント及び／又は脛骨部品の両方が認められる状態であれば、そのような除去は、以下の点で不利益であろう。患者はさらなる骨切除の対象者になるかもしれず、人工コンポーネントが無事に挿入された場合に人工コンポーネントの無菌性弛緩のさらなる可能性にさらされることになり、そして、その前にはＵＫＡが実行可能な選択であっただろうという場合に、早まってＴＫＡの候補者になる。
【０００７】
このように、どのような患者に対しても一律に適用可能な人工膝が必要とされている。また、従来の人工関節に比べて、侵襲が少なく、寿命が長く、費用が少なく、術後回付期間が短い人工膝が必要とされている。
【発明の概要】
【発明が解決しようとする課題】
【０００８】
本発明の目的は、従来の人工関節に関連するデメリットを少なくとも部分的に解消する、整形外科の人工関節に一般的に適用されるのに適している脛骨部品を提供することにある。
【０００９】
本発明のさらなる目的は、先行技術に対して新規性及び進歩性を有する脛骨部品を提供することにある。
【課題を解決するための手段】
【００１０】
本発明の一見地によれば、整形外科の人工関節に適した脛骨部品が提供される。その人工関節は、大腿骨コンポーネント及びスペーサベアリングを有している。
脛骨部品は、上側ベアリング面及び下側取り付け面を有する平坦な脛骨プレートを備えている。
脛骨プレートは、さらに、スペーサベアリングを脛骨プレートに対して取り外し可能に固定するための少なくとも１つのスペーサベアリング取り付け手段を有している。
【００１１】
スペーサベアリングは、スペーサベアリングの脛骨部品に対する動きを防止するために、脛骨部品に取り外し可能に固定されてもよい。上述の動作は、回転動作、平行動作又はそれら両方である。
【００１２】
本発明によれば、さらに、スペーサベアリングは、大腿骨コンポーネントを受けるための凹面を含んでいる。スペーサベアリングの凹面は、実質的に６度の湾曲を形成してもよい。スペーサベアリングは、別の例として、大腿骨コンポーネントを受けるための平坦面を有していてもよい。大腿骨コンポーネントを凹面を有するスペーサベアリングに支持させるようにする場合は、その使用意図は可動スペーサベアリングを有する人工部品のためである。大腿骨コンポーネントを平坦面を有するスペーサベアリングに支持させるように置かれる場合は、固定スペーサベアリングを有する人工部品のために使用される。このようにして、脛部品は、可動又は固定ベアリング人工部品のいずれかのスペーサベアリングを交互に受けるように構成されていることが十分に理解されるであろう。
【００１３】
本発明は、被験者、特に人間の膝、に特に適した整形外科の人工関節を提供する。
【００１４】
本発明では、さらに、脛骨プレートが、脛骨プレートにおいて膝の中心に最も近い面に配置されたフランジを有する。フランジは、好ましくは、直交フランジであり、そこに配置された開口部を有していてもよい。開口部は環状又は傾斜状である。
【００１５】
本発明によれば、さらに、取り付けは第１の取り付けであってもよい。第１の取り付けは、スペーサベアリングを直交フランジに対してつまり脛骨プレートに対して配置しかつ取り外し可能に固定するためのねじ及びねじ穴の性質を有していてもよい。別の例として、第１の取り付けは、細長いシリンダー及びそれの円弧状端を有する片持ちのピンの性質を持っていてもよい。片持ちのピンは、スペーサベアリングを直交フランジに対してつまり脛骨プレートに対して取り外し可能に固定するための片持ちのスナップ嵌め配置を形成している。
【００１６】
本発明によれば、第１の取り付けは、第２の取り付け手段によって保管される。第２の取り付け手段は、配置部材及び把持部材の形態であり、各々がスペーサベアリングに配置されている。配置部材は後方に配置されており、リム凹部にスナップ嵌めされている。配置部材は、さらに、脛骨プレートの上に配置されている。把持部材は前方に配置されており、相補的形状のホルダーと摩擦接触するためのものである。把持部材は、さらに、脛骨プレートの上に配置されている。配置部材、リム凹部、把持部材及びホルダーは、集合的に、第２取り付け手段を構成している。
【００１７】
本発明は、さらに、大腿骨コンポーネント、スペーサベアリング及び脛骨部品を有する整形外科の人工関節部品組立体に拡張される。脛骨部品は、上側ベアリング面及び下側取り付け面を有する平坦な脛骨プレートを備えている。脛骨プレートは、スペーサベアリングを脛骨プレートに対して取り外し可能に固定するための少なくとも１つのスペーサベアリング取り付け手段をさらに有している。スペーサベアリングは、その上に凹面を有していてもよいし、又は別の例としてその上に平坦面を有していてもよい。
【００１８】
大腿骨コンポーネントは、前方部材及び後方部材と、内側の大腿骨取り付け面を有する楕円形物体を有していてもよい。大腿間接ベアリング面及び内側大腿骨取り付け面は、前方部材の長さに沿ったどの点についても実質的に同一の断面湾曲を有しており、それにより、内側大腿骨取り付け面の半径が増大しており、さらに、骨組織に対する固定の断面線が増大している。内側大腿骨取り付け面は、さらに、その外側周縁エッジを超えて延びる線を形成している。
【００１９】
本発明は、さらに、膝関節の軟骨欠落面エリアの表面再形成の修正方法にまで拡張される。この方法は、侵襲が最低限であり、実質的にここで述べられた大腿骨コンポーネント、実質的にここで述べられた脛骨部品、実質的にここで述べられた選択的な取り付け手段を有する、整形外科の人工関節を利用して挿入するステップを含んでいる。
【図面の簡単な説明】
【００２０】
以下の図面を参照しながら、非限定的な例を用いて、本発明は以下に詳細に説明される。
【図１】本発明の一実施形態における、スペーサベアリングが係合している脛骨部品の概略的上面斜視図である。
【図２】図１に示された本発明のスペーサベアリングが係合している脛骨部品の概略的底面斜視図である。
【図３】図２に示された本発明のスペーサベアリングが係合している脛骨部品の分解概略底面斜視図である。
【図４】図１に示された本発明のスペーサベアリングが係合している脛骨部品の半分分解された概略上面斜視図である。
【図５】本発明の他の実施形態に係る、スペーサベアリングが係合している脛骨部品の概略的後方の底面斜視図である。
【図６】本発明の他の実施形態に係る、スペーサベアリングが係合している脛骨部品の概略的前方の底面斜視図である。
【図７】図５に示された本発明に係る、スペーサベアリングが係合している脛骨部品の分解概略的底面斜視図である。
【図８】人間の膝の本来の位置における、本発明の並んだ正面概略図である。
【発明を実施するための形態】
【００２１】
本明細書では、解剖学に関する表現を表す用語、例えば、中心に向かって、中心から離れて、上方に、下方に、などは、人工関節、それの各部分、及び患者（図示せず）の元々の骨格に関するものであると、解釈されることになる。これらの表現は、整形外科及び解剖学において十分に理解されるものであり、本明細書では、それらと一致する意味が与えられることを目的としている。
【００２２】
図面において、それとは異なるように表現されていない限り、同様の数字は同様の部分を示している。
【００２３】
最初に図３を参照し、さらに本発明の第１の非制限的な例において、参照数字１０は、一般に、直交する人工関節（図示せず）に用いられることに適した脛骨部品１０を示す。この人工関節（図示せず）は、上述されＰＣＴ／ＩＢ２００９／０５３２２４内で具体的に記載された大腿骨コンポーネントと、スペーサベアリング９０とを有している。脛骨部品１０は、上側ベアリング面３０及び下側取り付け面２０を有する平坦な脛骨プレート１５を有しており、さらに、スペーサベアリングを脛骨プレートに対して取り外し可能に固定するスペーサベアリング取り付け手段を有している。
【００２４】
平坦な脛骨プレート１５は、平面図で見れば、実質的にＤ形状であり、それの湾曲端は、中心から離れる方向に配置されており（すなわち、膝の中心線から離れており）、反対側（すなわち、中心に向かう側）は、直線状の縁を形成している。脛骨プレート１５は、スペーサベアリング７０の上側面９０を受けて係合するための上側ベアリング面３０（図４において、最も明確に見ることができる）を有している。脛骨プレート１５は、さらに、図８に概ね示されているように、脛骨部品１０を対象者の脛骨プラトーに取り付けるための下側取り付け面２０を形成している。
【００２５】
脛骨部品１０は、それの中心側の縁に固定されかつ沿って前後方向に延びる直交フランジ４０は、後方において高さが均一であり、前方において脛骨プレート１５に向かってテーパ形状になっている。直交フランジの上にテーパと並んで配置されたのは、前方に配置された開口部４５である。
【００２６】
下側取り付け面２０は、下側取り付け面２０から下方に延びそこの中心に配置された脛骨アンカー２５を有している。中心の、長く延びる開口部３５が、脛骨アンカー２５内に形成されている。
【００２７】
さらに、下側取り付け面２０は、外側周縁エッジに沿って延びるリム２２を立設面の形で有している。脛骨部品１０の後方端において、リム２２は、立設面の凹状部分で終了して、リム凹部６０を形成している。リム凹部６０は、互いに対して相補的に係合する方法によって、スペーサベアリング７０の配置部材６５を受けるためのものである。これは、面再形成治療中に、スペーサベアリング７０を脛骨部品１０に対して可能な限り素早くかつ効率的に適切に配置することを目的としている。
【００２８】
リム凹部６０の反対側に、かつ、脛骨部品１０の前方の面において、ホルダー５０が、噛み合い接触によって、スペーサベアリング７０の上に配置された把持部材５５を受けてさらに取り外し可能に固定する。通常、噛み合い接触は、簡単な角度が付いた凹部及びフック（図示せず）を用いた第１の片持ちのスナップ嵌め配置である。好ましくは、片持ちのスナップ嵌め配置は恒久型である。
【００２９】
直交フランジ４０の前方の面及びテーパに並んで配置されたのは、上述した開口部４５である。開口部４５は、スペーサベアリング７０に配置された穴１００を通って延びる締結部材４６を受けてアンカーする。本発明の一実施形態では、スペーサベアリング７０上の中心に近く配置された入口（図示せず）から穴１００を通って延びる締結部材４６を固定すること、最後には環状の開口部４５内に部分的にアンカーすることは、ねじ及び相補的なねじ穴配置によって行われる。ねじの頭部は、スペーサベアリング７０において中心に近い位置の入口（図示せず）の外縁の周りに延びている角度が付いた切り込み（図示せず）に着座している。その結果として、スペーサベアリング７０が脛骨部品１０に係合されるときに、環状の開口部４５及び穴１００は、互いに対して一直線上に配置される。
【００３０】
次に図３及び図４を参照して、スペーサベアリング７０は、脛骨プレート１５の平面視形状の鏡像となるような寸法の本体を含んでいる。上述の本体は、前後方向に延びる細長い側壁１０５を有している。側壁１０５は、前方端及び後方端で終了している。細長い側壁１０５は、使用中に、直交フランジ４０に当接するためである。側壁１０５の両末端は、最初に側壁１０５に対して直角に、さらに、互いに向かって曲線状のテーパとなって、最後には一つになるように連続している。その結果、平面図において実質的にＤ形状が実現されている。
【００３１】
上述した実施形態では、スペーサベアリング７０の上側面９０は、通常、平坦な面であり、大腿骨コンポーネント（図示せず）がその上に支持されるようになっている。スペーサベアリング７０の下側面８０は、脛骨プレート１５の上側ベアリング面３０の上に支持される。下側面８０の前方端から、把持構成５０は下方に延びる。前方端の反対側に、かつ、下側面８０の後方端にあるのは、配置部材６５である。配置部材６５は、さらに、下方に延び、リム凹部６０内に着座した内側に延びるフランジ６５（ａ）において終了している。
【００３２】
本発明の代替実施形態の第２の非制限的な例として、図５、６及び７は、上述した実施形態のスペーサベアリング及び締結手段の代替形態を示している。これは、本開示の範囲内に完全に入っている。この例では、環状開口部４５は、傾斜開口部１１０によって置き換えられている。それは、直交フランジ４０を通って斜めに延びてその後方端に向かっている。傾斜開口部は、スペーサベアリング７０に設けられた傾斜穴１４０に対して一直線上の関係にあり、スペーサベアリング７０の前方の面上の位置から斜めに延びており、側壁１０５で終了している。
【００３３】
さらに、この他の実施例では、直交フランジ４０の前方端は、直交フランジ４０に対して直交して延びる直線状の凹部１３０になっている。この例におけるさらなる代替品は、締結部材４６の代わりとしての締結部材１２０に関連している。締結部材１２０は、円弧状端１５０及び尖った配置端１６０を有する細長いシリンダーである。円弧状端１５０は、直線状凹部１３０に配置されるためのフックを用いた第２の片持ちのスナップ嵌め配置で終了している。
【００３４】
このようにして、締結部材４６／穴１００／環状の開口部４５の組合せ、及び（代替例における）締結部材１２０／傾斜した開口部１１０／傾斜した穴１４０の組み合わせは、全て前述のスペーサベアリング取り付け手段（符号無し）の集合的な典型であることは容易に理解されるであろう。
【００３５】
代替例におけるスペーサベアリング７０の不動性又は可動性は、代替としての締結部材１２０を使用するか又は不使用にするか次第である。可動ベアリングが意図されている場合は、スペーサベアリング７０は、大腿骨コンポーネントを受けるための凹状の上側ベアリング面（６度の曲率を有している）を有している。スペーサベアリング取り付け手段は用いられず、スペーサベアリング７０は従来技術で知られているように脛骨プレートに対して自由に動くことができる。両方の例において、中心となるのは、可動スペーサベアリング人工部品と固定スペーサベアリング人工部品とを直ちに交換できることである。前者の場合、これは、締結部材４６又は締結部材１２０を省略することで行われ、さらに大腿骨コンポーネント（図示せず）からの荷重に面して受けるための凹状上側ベアリング面を有する脛骨部品１０に対してスペーサベアリング７０を配置することで行われる。後者の場合、とりわけ、締結手段４６又は締結部材１２がスペーサベアリング７０を脛骨部品１０に固定しており、一方、平坦な上側ベアリング面を有するスペーサベアリング７０は脛骨部品１０に係合されている。
【００３６】
脛骨部品１０が特に人間の膝（図示せず）に使用されるのに適しているが容易に理解されるであろう。この関節は、図８に概ね示されている。大腿骨１６０は脛骨１７０に対して関節でつながっており、図８においてより詳細に示すように、出願人は、脛骨部品１０が、中心に近い膝部分又は中心から遠い膝部分のいずれにも使用可能であることを見いだした。
【００３７】
使用中に、医師は、内側の膝関節をさらすために、対象者の膝の適切な点に小さな（およそ）１０センチメートルの切込みを形成する。いったん大腿顆及び脛骨プラトー（両方とも図示せず）が大腿骨コンポーネント（図示せず）及び脛骨部品１０の配置によって適切に準備されれば、それぞれがこれらの位置において、適切なサイズのスペーサベアリングが挿入のために選択される。上述した最初の例によれば、スペーサベアリング７０の後方端は、配置部材６５がリム凹部６０ｅに位置するまで、脛骨プレート１５に向かって前進する。いったんそこに位置すれば、把持部材５５が物理的に把持構成５０内に押し込まれ、さらにこのようにスペーサベアリングが脛骨プレート１５に対して適切に配置される。つまり、側壁１０５が、直交フランジ４０に当接する。ねじのような適切なサイズの締結部材４６は、スペーサベアリング７０（平坦なベアリング面を有している）における中心に近い位置の穴入口（図示せず）を通って相補的なねじ穴１００内に導入され、さらに、環状の開口部４５に位置してアンカーするまで穴１００を通って前進する。スペーサベアリング７０は、今や脛骨部品１０に固定されており、固定された人工部品となっている。治療は、対象者の膝を縫合した後に、完了する。
【００３８】
同様に、医師が締結部材１２０／傾斜開口部１１０／傾斜穴１４０の組み合わせからなる締結手段を選択する場合、医師は、代替の締結部材１２０を前方に位置するスペーサベアリング７０（平坦な上側ベアリング面を有している）の斜め穴１４０を通して、尖った配置が傾斜開口部１１０を通して見えるようになるまで前進させる。この時点で、円弧状端１５０は、前方の面及び側壁１０５によって定義されるコーナーと同じ高さになっており、第２の片持ちのスナップ嵌め配置が係合しており、それによって、スペーサベアリング７０が脛骨部品１０に固定される。これは、固定ベアリング配置又は固定人工部品を示している。
【００３９】
手術中に、可動スペーサベアリング配置が対象者のニーズにより適しており、凹状の上側ベアリング面を有するスペーサベアリング７０が単に脛骨プレート１５の上に置かれて脛骨プレート１５に噛み合い接触になる、ことが理解される。スペーサベアリング取り付け手段の使用は避けられ、さらに脛骨プレート１５に対するスペーサベアリング７０の動きの制限が生じない。このようにして、この配置は、可動ベアリング人工部品を表している。
【００４０】
さらに、本発明が、ここで述べられた脛骨部品１０がここで述べられた大腿骨関節ベアリング面及びａスペーサベアリングを形成する大腿骨コンポーネントと共に使用されることにまで拡張されたことが理解されるであろう。大腿骨コンポーネントは、さらに、前方部材及び後方部材、及び内側の大腿骨取り付けを有する楕円形物体を含んでいる。大腿骨関節ベアリング面及び内側大腿骨取り付け面は、前方部材の長さに沿ったどの点においても実質的に均一な断面曲率を有しており、それにより内側大腿骨取り付け面の半径が増大しており、さらに骨組織の固定の断面線が増大しており、膝関節における軟骨欠落面エリアの表面が再形成される。
【００４１】
当業者は、以下のことを容易に理解するであろう。医師は、例えばスペーサベアリングが摩耗又は損傷したときに、脛骨部品又は大腿骨コンポーネントを邪魔することなく、必要になった場合にスペーサベアリング７０を交換することができる。さらに、スペーサベアリングを存在する人工関節に挿入することが容易になっているので、患者への負担は最低限になっている。さらに、スペーサベアリングは、人工関節の容易に交換可能な部分が何であるかを見つけるだろう。それにより、存在する人工の装置、特にＵＫＡ治療に関連する人工部品の寿命が延びる。
【００４２】
本発明の特定の形態のみが説明されたが、当業者は本発明の他の改良又は変更が可能であることを理解するだろう。例えば、スペーサベアリング取り付け手段は、上述の２つの例に限定される必要がなく、スペーサベアリング７０を脛骨部品１０に固定する目的を達成する代替の適したスペーサベアリング取り付け手段であればよい単一半径の曲率を形成する大腿骨コンポーネントとともに、脛骨部品１０を用いることが好まれる。複数半径の曲率を有する大腿骨コンポーネントは、適切な場合に、代替使用可能である。このような改良及び／又は変更は、ここで述べられたようにして本発明の主旨及び範囲内にあると考えられる。
【図１】
2014530680.tif 000003
【図２】
2014530680.tif 000004
【図３】
2014530680.tif 000005
【図４】
2014530680.tif 000006
【図５】
2014530680.tif 000007
【図６】
2014530680.tif 000008
【図７】
2014530680.tif 000009
【図８】
2014530680.tif 000010
【国際調査報告】
2014530680.tif 000011
2014530680.tif 000012
2014530680.tif 000013
2014530680.tif 000014